(57)【要約】【課題】時間をかけずに識別情報を重複して登録するのを抑制することができる携帯電子機器を提供すること。【解決手段】表示部２１と、撮像部２３と、記憶部３０と、撮像部２３により撮像された画像の中の所定の領域に対して走査を行い走査情報を取得する走査部３１と、走査情報が記憶部３０に既に記憶されている走査情報と一致しているか否かを判定する判定部３１と、判定部３１により、走査情報が記憶部３０に既に記憶されている走査情報と一致しないと判定された場合に、画像の中から識別情報を認識する認識部３１と、認識部３１により、認識された識別情報を走査情報に関連付けて記憶部３０に記憶するように制御する制御部３２とを有する。【選択図】図２
2011010145.tif 000002
【特許請求の範囲】
【請求項１】
表示部と、
撮像部と、
記憶部と、
前記撮像部により撮像された画像の中の所定の領域に対して走査を行い走査情報を取得する走査部と、
前記走査情報が前記記憶部に既に記憶されている走査情報と一致しているか否かを判定する判定部と、
前記判定部により、前記走査情報が前記記憶部に既に記憶されている前記走査情報と一致しないと判定された場合に、前記画像の中から識別情報を認識する認識部と、
前記認識部により、認識された前記識別情報を前記走査情報に関連付けて前記記憶部に記憶するように制御する制御部と、を有する携帯電子機器。
【請求項２】
前記走査部は、前記画像の中を線状に走査して前記走査情報を取得する請求項１記載の携帯電子機器。
【請求項３】
前記走査部は、前記画像の中の所定位置において線状に複数本の前記走査情報を取得する請求項２記載の携帯電子機器。
【請求項４】
前記所定位置毎に異なる重み付けがなされる前記走査情報を評価する評価部を有し、
前記判定部は、前記評価部の評価に基づいて、前記走査情報と前記記憶部に既に記憶されている前記走査情報と一致しているか否かを判定する請求項３記載の携帯電子機器。
【請求項５】
前記走査部は、前記走査情報を２値画像に基づいて認識する請求項１から４記載の携帯電子機器。
【請求項６】
前記制御部は、取得した前記走査情報が有効な情報でない場合に、さらに前記走査情報を取得する請求項１から５記載の携帯電子機器。
【請求項７】
前記制御部は、前記走査情報が前記記憶部に既に記憶されている前記走査情報と一致していると判定された際に、前記走査情報が前記記憶部に既に記憶されている前記走査情報と一致している旨を前記表示部に表示するように制御する請求項１から６記載の携帯電子機器。
【請求項８】
前記制御部は、前記走査情報が前記記憶部に既に記憶されている前記走査情報と一致していると判定された際に、前記走査情報が前記記憶部に既に記憶されている前記走査情報に関連付けて前記記憶部に記載された前記識別情報を前記表示部に表示するように制御する請求項１から６記載の携帯電子機器。
【発明の詳細な説明】
【技術分野】
【０００１】
本発明は、画像の中から識別情報を認識することができる携帯電子機器に関する。
【背景技術】
【０００２】
従来より、名刺リーダ機能、すなわち名刺に記載された情報を読み取る機能を備えた携帯電子機器（携帯電話機）がある。名刺リーダ機能は、撮像部又はスキャナのＯＣＲ（Ｏｐｔｉｃａｌ  Ｃｈａｒａｃｔｅｒ  Ｒｅａｄｅｒ）機能を応用しており、画像として読み取った名刺画像の中から文字情報を判別し、文字データを取り込むようになっている（例えば、特許文献１，２を参照）。具体的には、携帯電話機は、名刺に記載された情報を撮像部により撮像し、撮像した画像を名刺リーダ機能により解析し、解析後のデータ（識別情報）を項目分けしてアドレス帳に登録するようになっている。
【先行技術文献】
【特許文献】
【０００３】
【特許文献１】特開２００１−３４４５６２号公報
【特許文献２】特開２００２−２５２６９１号公報
【発明の概要】
【発明が解決しようとする課題】
【０００４】
ところで、携帯電話機においては、アドレス帳に登録されている識別情報と画像から認識された識別情報とが同一であった場合にも、アドレス帳への登録が行われており、重複した識別情報が登録されている。
そこで、アドレス帳に登録されている識別情報と、同一の識別情報であって画像から認識されたものがアドレス帳に登録されるのを抑制するよう構成することも考えられるが、その場合、画像から識別情報を認識することが前提となるため制御に時間がかかるという問題があった。
【０００５】
したがって、本発明は、上述した問題に鑑みてなされたものであって、時間をかけずに識別情報を重複して登録するのを抑制することができる携帯電子機器を提供することを目的とする。
【課題を解決するための手段】
【０００６】
本発明に係る携帯電子機器は、表示部と、撮像部と、記憶部と、前記撮像部により撮像された画像の中の所定の領域に対して走査を行う走査部と、前記走査情報が前記記憶部に既に記憶されている走査情報と一致しているか否かを判定する判定部と、前記判定部により、前記走査情報が前記記憶部に既に記憶されている走査情報と一致しないと判定された場合に、前記画像の中から識別情報を認識する認識部と、前記認識部により、認識された前記識別情報を前記走査情報に関連付けて前記記憶部に記憶するように制御する制御部と、を有する。
【０００７】
また、走査部は、前記画像の中の所定位置において複数の前記走査情報を取得することが好ましい。
【０００８】
また、走査部は、前記画像の中を線状に走査して前記走査情報を取得することが好ましい。
【０００９】
また、携帯電子機器は、前記走査部により前記画像の中の所定位置において複数取得され、前記所定位置毎に異なる重み付けがなされる前記走査情報を評価する評価部を有し、前記判定部は、前記評価部の評価に基づいて、前記走査情報と前記記憶部に既に記憶されている走査情報と一致しているか否かを判定することが好ましい。
【００１０】
また、走査部は、前記走査情報を２値画像に基づいて認識することが好ましい。
【００１１】
また、制御部は、前記走査情報が前記記憶部に既に記憶されている走査情報と一致していると判定された際に、前記走査情報が前記記憶部に既に記憶されている走査情報と一致している旨を前記表示部に表示するように制御することが好ましい。
【００１２】
また、制御部は、前記走査情報が前記記憶部に既に記憶されている走査情報と一致していると判定された際に、前記走査情報が前記記憶部に既に記憶されている走査情報と一致している旨を前記表示部に表示するように制御することが好ましい。
【００１３】
また、制御部は、前記走査情報が前記記憶部に既に記憶されている前記走査情報と一致していると判定された際に、前記走査情報が前記記憶部に既に記憶されている前記走査情報に関連付けて前記記憶部に記載された前記識別情報を前記表示部に表示するように制御することが好ましい。
【発明の効果】
【００１４】
本発明によれば、時間をかけずに、識別情報を重複して登録するのを抑制することができる。
【図面の簡単な説明】
【００１５】
【図１】本発明に係る携帯電子機器の一例である携帯電話機の外観斜視図である。
【図２】携帯電話機の機能を説明する機能ブロック図である。
【図３】携帯電話機における名刺の読み取り・記憶の動作を説明するフロー図である。
【図４】名刺の走査情報の取得・既登録の走査情報との同一判定について説明する図である。
【図５】アドレス帳の記憶領域におけるイメージ図である。
【発明を実施するための形態】
【００１６】
以下、本発明の実施の形態について説明する。図１は、本発明に係る携帯電子機器の一例である携帯電話機１の外観斜視図を示す。なお、以下では、携帯電話機１について説明するが、本発明はこれに限定されるものではなく、撮像機能を有するものであれば良く、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ノートパソコン等であっても良い。
【００１７】
携帯電話機１は、操作部側筐体部２と、表示部側筐体部３と、を備えて構成される。操作部側筐体部２は、表面部１０に、操作キー群１１と、携帯電話機１の使用者が通話時に発した音声が入力されるマイク１２と、を備えて構成される。操作キー群１１は、各種設定やアドレス帳機能やメール機能等の各種機能を動作させるための機能設定操作ボタン１３と、電話番号の数字やメール等の文字等を入力するための入力操作ボタン１４と、各種操作における決定やスクロール等を行う決定操作ボタン１５と、から構成されている。
【００１８】
また、表示部側筐体部３は、表面部２０に、各種の情報を表示するための表示部２１と、通話の相手側の音声を出力する音声出力部２２と、被写体を撮像するＣＣＤ（Ｃｈａｒｇｅ  Ｃｏｕｐｌｅｄ  Ｄｅｖｉｃｅ）カメラ等により構成される撮像部２３と、音楽等を外部に出力するスピーカ２４と、を備えて構成されている。なお、本実施の形態においては、撮像部２３は、表示部側筐体部３の表面部２０に配置されているが、配置位置はこれに限られず、例えば、表示部側筐体部３の裏面部（図示せず）等被写体を撮像可能な位置であれば良い。
【００１９】
また、操作部側筐体部２の上端部と表示部側筐体部３の下端部とは、ヒンジ機構４を介して連結されている。また、携帯電話機１は、ヒンジ機構４を介して連結された操作部側筐体部２と表示部側筐体部３とを相対的に回転することにより、操作部側筐体部２と表示部側筐体部３とが互いに開いた状態（開放状態）にしたり、操作部側筐体部２と表示部側筐体部３とが折り畳まれた状態（折畳み状態）にしたりできる。
【００２０】
なお、図１は、いわゆる折り畳み型の携帯電話機の形態を示しているが、本発明に係る携帯電話機１の形態としては特にこれに限られず、操作部側筐体部２と表示部側筐体部３とを重ね合わせた状態から一方の筐体を一方向にスライドさせるようにしたスライド式や、操作部側筐体部２と表示部側筐体部３との重ね合せ方向に沿う軸線を中心に一方の筐体を回転させるようにした回転式（ターンタイプ）等であっても良い。
【００２１】
このように構成される携帯電話機１は、氏名、会社名、所属、電話番号及び電子メールアドレス等の識別情報をアドレス帳に登録し、表示する機能を有する。また、携帯電話機１は、既に登録されている識別情報と撮像した画像から取得する識別情報との重複登録を防止する機能を有する。
【００２２】
ここで、上述したような機能を発揮するための構成について図２を用いて説明する。
携帯電話機１は、図２に示すように、表示部２１と、撮像部２３と、記憶部３０と、走査部（ＯＣＲ処理部３１）と、認識部（ＯＣＲ処理部３１）と、判定部（ＯＣＲ処理部３１）と、制御部（主制御部３２）とを有する。
【００２３】
表示部２１は、液晶表示パネルや有機ＥＬ（Ｅｌｅｃｔｒｏ−Ｌｕｍｉｎｅｓｃｅｎｃｅ）パネル等の表示デバイスから構成され、例えばアドレス帳、電話発信時における発信先の電話番号、電話受信時における発信元の電話番号、及び受信メールや送信メールの内容等を表示する。表示部２１は、主制御部３２から供給される映像信号に応じて表示制御部３３により制御されることにより文字や画像を表示する。なお、表示制御部３３は、例えば映像信号に基づく駆動電圧を表示部２１に供給するデータドライバ、及び表示部２１の各画素を走査線に沿って線順次駆動するゲートドライバ等から構成される。
撮像部２３は、レンズ及び撮像素子等からなり、例えば名刺等を撮像する。
記憶部３０は、後述する識別情報、及び識別情報に関連付けられた後述する走査情報を登録情報として登録可能なアドレス帳を記憶する。
【００２４】
走査部としてのＯＣＲ処理部３１は、撮像部２３により撮像された画像の中の所定の領域に対して走査を行って、走査情報を取得する。走査情報としては、例えば、所定の領域における画像や所定の領域における画像を数値化したものが相当する。
【００２５】
判定部としてのＯＣＲ処理部３１は、走査情報がアドレス帳に既に記憶されている走査情報と一致しているか否かを判定する。この際、ＯＣＲ処理部３１は、取得した走査情報と記憶されている走査情報とが完全に同一のものを一致していると判定すると共に、所定の誤差の範囲にある走査情報も一致していると判定する。なお、判定基準は、要求される走査情報の精度等を考慮して決定される。
【００２６】
認識部としてのＯＣＲ処理部３１は、走査情報がアドレス帳に既に記憶されている走査情報と一致しないと判定された場合には、画像の中から識別情報を認識する。識別情報とは、文字等のデータである。この認識には、例えばＯＣＲ機能を利用すればよい。ＯＣＲ機能によりテキスト文字に変換されたものは文字と認識される。
【００２７】
ここで、ＯＣＲ機能について説明する。まず、撮像部２３により撮像された名刺等の画像から行部分を抽出する。例えば、画像を縦方向にスキャンして、画像の濃度値を取得する。そして、所定の閾値以上の濃度値が連続する箇所を行とする一方、閾値未満の濃度値が連続する箇所を行間とする。次に、抽出された行部分の画像から１文字単位で文字を抽出する。例えば、行部分の画像を横方向にスキャンして濃度値を取得する。そして、所定の閾値以上の濃度値が連続する箇所を文字とする一方、閾値未満の濃度値が連続する箇所を文字間とする。これにより、撮像部２３により撮像された画像から１文字分の画像（文字画像）が抽出される。次に、文字画像の文字を認識し、テキストデータに変換する。例えば、文字画像を予め記憶された文字パターンと比較し、文字パターンに対する類似度を求める。そして、類似度の最も大きい文字パターンが文字画像中の文字と認識され、認識された文字をテキストデータとして出力する。このようにして、撮像部２３により撮像された画像からテキスト文字が出力される。
【００２８】
制御部としての主制御部３２は、ＯＣＲ処理部３１により、認識された識別情報を走査情報に関連付けて記憶部３０のアドレス帳に記憶するように制御する。
【００２９】
このように構成される携帯電話機１は、撮像された画像の中の所定の領域に対して走査された走査情報と、アドレス帳に識別情報と関連付けられて記憶されている走査情報の一致・不一致を判定する。そして、携帯電話機１は、撮像された画像から取得された走査情報と、アドレス帳に記憶されている走査情報とが一致していないと判定した場合に、アドレス帳に存在しない新規な識別情報であるとして、ＯＣＲ機能を使用して識別情報を取得する。また、携帯電話機１は、取得した識別情報、及びこの識別情報に走査情報を関連付けて、１つの登録情報としてアドレス帳に登録する。
【００３０】
したがって、携帯電話機１は、簡易的に走査情報の一致・不一致を判定することにより、識別情報の一致・不一致の判定を行った場合と等しい結果が得られるために、ＯＣＲ機能を使用して識別情報を生成する必要がなくなる。このため、携帯電話機１においては、処理が減るために、識別情報の一致・不一致に要する時間を短縮することができ、時間をかけずに識別情報を重複して登録するのを抑制することができる。
【００３１】
また、携帯電話機１は、上述したように識別情報を比較するわけではなく、走査情報を比較するため、例えば、氏名、住所、会社名等の複数の識別情報が１の登録情報として扱われている場合においては、識別情報毎に一致・不一致の判定を行う必要がないために、１つの登録情報に対する処理を減らすことができる。このため、携帯電話機１は、アドレス帳に登録される登録情報の登録数が多ければ多いほど、時間を短縮することができる。
【００３２】
なお、携帯電話機１は、操作入力部３４と、入力データ取得部３５と、電源部３６と、電源使用量検出部３７と、電話発信部３８と、無線ＬＡＮ（Ｌｏｃａｌ  Ａｒｅａ  Ｎｅｔｗｏｒｋ）機能部３９と、メール送信部４０と、ブラウザ機能部４１、電話受信部４２、メール受信部４３とをさらに有する。操作入力部３４は、操作キー群１１によって構成される。入力データ取得部３５は、操作を検出する。入力データ取得部３５は、例えば、操作入力部３４がユーザによって操作された場合に、その操作内容を検出し操作内容に対応する信号を発生して、主制御部３２に入力させる。電源部３６は、携帯電話機１に備えられる各機能に電源を供給する。電源使用量検出部３７は、電源の使用量を検出する。電話発信部３８及びメール送信部４０は、移動体通信網を介して不図示の基地局と接続され、それぞれ発信信号を基地局へ発信する。電話受信部４２及びメール受信部４３は、移動体通信網を介して不図示の基地局と接続され、それぞれ受信信号を基地局から受信する。無線ＬＡＮ機能部３９は、無線により不図示のアクセスポイントと接続され、データの送受信を行う。ブラウザ機能部４１は、携帯電話機１が基地局又はアクセスポイントに接続された状態で起動されると、ウェブサーバにアクセスする機能を有している。
【００３３】
また、走査部となるＯＣＲ処理部３１は、画像の中を線状に走査して走査情報を取得する。名刺は、大抵の場合、氏名等の識別情報に相当する表示は、均一に並ばれ、整列された状態となっている。このため、携帯電話機１では、撮像した画像中を線状に走査したものを走査情報として取得することで、識別情報の一致・不一致を判定可能な走査情報を取得することができる。また、携帯電話機１においては、撮像した画像から所定の領域を線状に走査した情報を走査情報とするために、アドレス帳に記憶する走査情報のデータ量を少なくすることができる。
【００３４】
また、走査部となるＯＣＲ処理部３１は、画像の中の所定位置において線状に複数本の走査情報を取得する。したがって、携帯電話機１においては、画像の中で、例えば、氏名等の識別対象として主なものが配置されている位置を複数走査すれば、識別対象への走査精度が上がるために、結果として、識別情報の一致・不一致の精度を向上させることができる。
【００３５】
また、評価部となるＯＣＲ処理部３１は、所定位置毎に異なる重み付けがなされる走査情報を評価する。したがって、携帯電話機１においては、例えば、撮像した画像が歪みやすい画像の端部領域に対しては評価を低くして、歪みにくい画像の中央領域に対しては評価を高くすることにより、歪みにより発生する識別情報の一致・不一致の判定の精度の低下を抑制することができる。
【００３６】
また、走査部となるＯＣＲ処理部３１は、走査情報を２値画像（例えば、白黒画像）に基づいて認識する。したがって、携帯電話機１は、走査情報のデータ量を少なくすることができる。
【００３７】
また、制御部となる主制御部３２は、取得した走査情報が有効なものでない場合に、さらに走査情報を取得する。したがって、携帯電話機１は、例えば、規定する位置よりもズレた位置で撮影された画像を使用する場合や名刺のレイアウトが異なっている等、所定の位置で走査しても識別情報の一致・不一致の判定に用いることができる有効な走査情報を取得することができない場合においても、異なる位置において再度走査情報を取得するために、有効な走査情報を確実に取得することができる。なお、取得される走査情報の有効性の判断は、取得される走査情報の情報量を基準とすること等により判断することで、例えば、文字が表示されていない位置を走査した走査情報か否かを判断することができる。
【００３８】
主制御部３２は、走査情報が記憶部３０に既に記憶されている走査情報と一致していると判定された際に、走査情報が記憶部３０に既に記憶されている走査情報と一致している旨を表示部２１に表示する。したがって、携帯電話機１は、同一であると判定された結果をユーザに確認させることができ、誤判定をユーザの確認の上で最終的に抑制することができる。
【００３９】
次に、携帯電話機１の動作について、図３を参照しながら説明する。
図３に示すように、ステップＳ１０１において、名刺を携帯電話機１に登録する場合、まず、ユーザは、操作入力部３４を操作して携帯電話機１の名刺リーダ機能を起動させる。
【００４０】
次に、ステップＳ２０１において、携帯電話機１の内部処理として、主制御部３２は、ステップＳ１０１の工程による操作に基づいて、名刺リーダ機能の起動操作を入力データ取得部３５により検知する。
ステップＳ２０２において、撮像部２３は、主制御部３２の制御によりカメラ起動処理を行う。
【００４１】
次に、ステップＳ１０２において、ユーザは、操作入力部３４を操作して名刺撮影操作を行わせる。
次に、ステップＳ２０３において、携帯電話機１の内部処理として、主制御部３２は、ステップＳ１０２の工程による操作基づいて名刺撮影操作を入力データ取得部３５により検知する。
【００４２】
ステップＳ２０４において、ＯＣＲ処理部３１は、撮像部２３により撮像された名刺の画像の傾き補正処理を行う。すなわち、ＯＣＲ処理部３１は、走査情報を取得可能なように、例えば、画像中の名刺の四隅部の座標値に基づいて、画像の傾き具合を判断して、傾きを補正する。
【００４３】
ステップＳ２０５において、ＯＣＲ処理部３１は、ステップＳ２０４の工程で傾き補正処理が行われた画像に対して、画像拡大率適正化処理を行う。すなわち、ＯＣＲ処理部３１は、撮像された画像が、例えば、所定の大きさよりも小さい場合に、走査情報を取得可能なように、画像それ自体、もしくは、名刺部分の画像を、所定の大きさに拡大する。
なお、本実施形態においては、撮像された画像が、所定の大きさよりも小さい場合を示したが、これに限られず、所定の大きさよりも大きい場合に画像を縮小するようにしても良い。この場合には、名刺に表示されている文字等の大きさに基づいて、縮尺倍率を決定することにより行うことができる。
【００４４】
ステップＳ２０６において、ＯＣＲ処理部３１は、ステップＳ２０４及びステップＳ２０５の工程において、傾きと大きさが整えられた画像から、白黒の走査情報を取得する。
白黒の走査情報の取得は、まず、ＯＣＲ処理部３１により、画像の中の名刺部分における所定の座標について走査を行い、白黒の２値画像を取得することにより行う。本実施形態においては、ＯＣＲ処理部３１は、図４に示すように、走査情報を上段（Ｌｉｎｅ１）・中段（Ｌｉｎｅ２）・下段（Ｌｉｎｅ３）の計３箇所において線状に取得する。
【００４５】
ステップＳ２０７において、ＯＣＲ処理部３１は、図４に示すように、取得した走査情報とアドレス帳に登録されている走査情報との比較（一致・不一致の判定）を行う。取得した走査情報とアドレス帳に登録されている走査情報との一致・不一致の判定は、ＯＣＲ処理部３１により、走査情報の値を比較することにより行われる。ＯＣＲ処理部３１は、比較する走査情報の値が同じであるか、又は、所定の誤差の範囲内である場合には、同一性が高いものとして、一致していると判定する。
【００４６】
なお、本実施形態においては、ＯＣＲ処理部３１は、図４に示すように、撮影時のブレ等を考慮して、各走査情報において、誤差の幅を変更する。つまり、ＯＣＲ処理部３１は、走査情報の位置によって、同一判定を甘くしたり、厳しくしたりする。具体的には、ＯＣＲ処理部３１は、図４に示すように、撮影時のブレが大きいＬｉｎｅ１及びＬｉｎｅ３については、誤差の範囲を広くして判定を甘くし、Ｌｉｎｅ２については、誤差の範囲を狭くして判定を厳しくする。
【００４７】
また、携帯電話１は、様々な形式の名刺等が想定されるために、ＯＣＲ処理部３１は、走査情報が比較可能な値を有しているか否かを判断するように構成しても良い。このように判断した結果、ＯＣＲ処理部３１は、比較可能な値を有していない場合には、再度異なる位置で走査して走査情報を取得する。この際、携帯電話機１は、取得する走査情報に位置情報を含ませる。また、走査される位置は、名刺のタイプにより決定しても良いし、撮像された画像から判断して決定しても良い。
【００４８】
ステップＳ２０８において、主制御部３２は、ＯＣＲ処理部３１による走査情報の一致・不一致の判定に基づいて、一致していると判定された場合、アドレス帳に登録される走査情報に関連付けられた識別情報（例えば、氏名等）を表示部２１に表示する。
【００４９】
ステップＳ１０３において、ユーザは、表示部２１に表示される識別情報に基づいて、ＯＣＲ読み取り処理（名刺の取り込み）を行うか否かの操作を行う。本ステップにより、ユーザは、誤判定があり、表示されている識別情報とは異なる名刺であった場合には、読み取りの処理を行う。
【００５０】
ステップＳ２０９において、主制御部３２は、ステップＳ１０３における名刺読み取り操作に基づいた処理を行う。主制御部３２は、ＯＣＲ読み取り処理を行うための名刺読み取り操作が場合には、ステップＳ２１０へ進み、ＯＣＲ読み取り処理を行わないための名刺読み取り操作が場合には、内部処理を終了する。
【００５１】
ステップＳ２１０において、主制御部３２は、ＯＣＲ処理部３１に対して、ＯＣＲ読取処理を行って、ステップＳ２１１に進む。ＯＣＲ読取処理は、ＯＣＲ処理部３１に撮像された画像から所定のデータを認識させることにより行う。所定のデータの認識は、例えば、所定領域の撮像画像の一部と記憶部３０等に格納される文字データと照合したものをテキストデータ等に置き換えることにより行われる。
【００５２】
ステップＳ２１１において、主制御部３２は、図５に示すように、取得した識別情報と、走査情報とを関連付けて登録情報としてアドレス帳に登録して、内部処理を終了する。
【００５３】
したがって、携帯電話機１は、時間をかけずに識別情報を重複して登録するのを抑制することができる。
【００５４】
以上、本発明に係る携帯電話機１の好適な実施形態について説明したが、本発明に係る携帯電話機１は、上述した実施形態に限定されることなく種々の形態で実施することができる。
【００５５】
なお、本発明に係る携帯電話機１において、走査情報は、白黒の２値画像に基づいたものを示したが、これに限定されることはなく、カラー画像であっても良い。
【００５６】
また、携帯電話機１においては、識別情報の一致・不一致の判定を、所定位置において複数の線状に走査した走査情報のそれぞれに重み付けをして、その重み付けに基づいた結果から行っていたが、これに限られない。例えば、氏名等の情報が表示されている場所に複数線状の走査を行っても良い。
【００５７】
また、走査情報は、撮像した画像の中を線状に走査したものを用いたが、これに限られない。走査情報は、ＯＣＲ取込処理前の画像において取得可能なものであれば良く、例えば、撮像した画像中の所定の領域における画像情報や、撮像した画像中の所定の領域における色の比率や、撮像した画像自体を走査情報としても良い。
【００５８】
また、主制御部３２は、走査情報が記憶部３０に既に記憶されている走査情報と一致していると判定された際に、走査情報が記憶部３０に既に記憶されている走査情報と一致している旨を表示部２１に表示するよう構成したが、当該表示の代わりに、或いは共に、記憶部３０に既に記憶されている走査情報に関連付けて記憶部３０に記憶された識別情報を表示するよう構成しても良い。これにより、携帯電話機１は、同一であると判定された結果をユーザに確認させることができ、さらに誤判定を抑制することができる。
【符号の説明】
【００５９】
１    携帯電話機（携帯電子機器）
２１  表示部
２３  撮像部
３０  記憶部
３１  ＯＣＲ処理部（走査部、判定部、認識部、評価部）
３２  主制御部（制御部）
【図１】
2011010145.tif 000003
【図２】
2011010145.tif 000004
【図３】
2011010145.tif 000005
【図４】
2011010145.tif 000006
【図５】
2011010145.tif 000007